(57)【要約】【課題】ドライブレコーダをケースに対して取り外し、取り付けする作業を、特定の人物だけが行うことができるようにするとともに、交通事故に際しても容易に壊れないようにする。【解決手段】収納箱４内におけるドライブレコーダ３の固定は取り付け、取り外しが可能な状態としておく。ドライブレコーダ３と鍵付きメインスイッチ８にはバッテリから電源供給可能に配線する。ドライブレコーダ３を収納箱４を介して車体５に固定すると共に、鍵７を掛けて収納箱４の外側からは容易にはドライブレコーダ３に触れ得ないようにする。収納箱４を金属製の箱としてこれに固定し、この金属製の収納箱４を車体５の所定の箇所に固定し、収納箱４の扉６に鍵７、７を掛けておく。この状態では、交通事故等が発生して衝撃力が掛かっても、ドライブレコーダ３は容易には壊れないようにできる。【選択図】図１
2009265787.tif 000002
【特許請求の範囲】
【請求項１】
ドライブレコーダを箱体状の収納体内に収容し、該収納体を車体に固定すると共に、ドライブレコーダを前記収納体に対して出し、入れするための扉を鍵付きのものとし、収納したドライブレコーダのオン、オフを前記収納体の外側に設けた鍵付きスイッチで行うようにしてなることを特徴とするドライブレコーダ取り付け構造。
【請求項２】
請求項１に記載のドライブレコーダ取り付け構造を用いたことを特徴とするドライブレコーダ装置。
【請求項３】
ドライブレコーダにおける車両状態データ情報記録方法であって、前記ドライブレコーダがカード状のメディアへ録画情報の記録を行うものであり、録画データを所定時間単位でバッファーへ取り込み、該バッファーへ取り込んだ録画データの前記カード状のメディアへの記録も前記所定時間単位で行うことを特徴とする。
【請求項４】
請求項３に記載のドライブレコーダにおける車両状態データ情報記録方法を用いたことを特徴とするドライブレコーダ装置。
【請求項５】
請求項４のドライブレコーダ装置において、データの記録制御、イベントの発生検出、イベントの終了検出等を制御する制御装置を含み、前記バッッファーがＦＩＦＯ（ＦＩＲＳＴ  ＩＮ  ＦＩＲＳＴ  ＯＵＴ、あるいは先入れ先出し）で動作するものであり、
イベント発生がない場合、一定時間分の録画データを連続的に前記バッファーに取り込み、一定量以上のデータを保存せず、
当該時間中にイベントが発生した時は、イベント開始信号を前記制御装置へ送り、
該制御装置はイベント開始信号以後所定定時間経過後に前記保存されていたバッファーの全データを前記カード状のメディアへ書き込むように指示し、以後イベント終了までデータを所定時間単位で連続的に前記カード状のメディアに書き込ませ、イベント終了信号を検出した場合は、イベント終了信号を検出した時間を含む所定時間内の録画データをすべて前記カード状のメディアに取り込んだ後に取り込みを終了する、
ことを特徴とするドライブレコーダ装置。
【発明の詳細な説明】
【技術分野】
【０００１】
本発明は、車両の状態に関する車両状態データを書込可能なドライブレコーダと、このようなドライブレコーダに記憶されるべきイベントのすべてをＳＤカード等のメディアに記録可能にする車両状態データ情報記録方法、この方法を用いたドライブレコーダ装置に関する。
【背景技術】
【０００２】
従来、車両事故が発生したときの事故原因の究明に役立てることを目的として、車両の状態に関する車両状態データを記憶するために、ドライブレコーダと称される機器、装置、システムが提供されているが、車両状態データのセキュリティを確保するために、種々の工夫がなされている。例えば車両状態データを暗号化して記憶するものがある（例えば特許文献１参照）。
【特許文献１】特開２００２−３６２４３５号公報
【発明の開示】
【発明が解決しようとする課題】
【０００３】
特許文献１に記載されている方法では、車両状態データを暗号化するための暗号化情報がドライブレコーダ自体に記憶されているので、例えば暗号化情報を最新のものに更新する場合や、ＳＤカード等の記録メディアの管理を行う場合等には、車両からドライブレコーダを取外す必要が生じることがある。しかしながら、一般的にはドライブレコーダと称される機器は、衝撃を受け難くするために、強固なケースに収容した状態で車両に搭載してあることが多く、それを考慮すると、取り外し、取り付け作業も、特定の人物だけが行うことができるようにする必要があり、また取り外し、取り付けが行える構造であるとしても、交通事故に際しても容易に壊れないようにする必要があるという問題がある。
【０００４】
また交通事故等のイベント発生時およびイベント終了時の前後の映像を含む画像データをすべて記録できるようにするために、記録メディアの大容量化が図られており、ＳＤカード等近年大容量化が容易になったメディアの使用が進んでいるが、それでも記録できる容量としては限られており、ドライブレコーダとは別体に情報記憶手段を設けてそれに記憶させておく等の解決策が採られている。すなわち、ＳＤカード等のメディアと、これとは別の記録メディアを要するようになってきており、システムとしての肥大化についての防止策が希求されるようになってきている。
【課題を解決するための手段】
【０００５】
本発明の請求項１に係るドライブレコーダ取り付け構造は、ドライブレコーダを箱体状の収納体内に収容し、該収納体を車体に固定すると共に、ドライブレコーダを前記収納体に対して出し、入れするための扉を鍵付きのものとし、収納したドライブレコーダのオン、オフを前記収納体の外側に設けた鍵付きスイッチで行うようにしてなることを特徴とする。
【０００６】
請求項２に係るドライブレコーダ装置は、請求項１に記載のドライブレコーダ取り付け構造を用いたことを特徴とする。
【０００７】
本発明の請求項３に係るドライブレコーダにおける車両状態データ情報記録方法は、前記ドライブレコーダがカード状のメディアへ録画情報の記録を行うものであり、録画データを所定時間単位でバッファーへ取り込み、該バッファーへ取り込んだ録画データの前記カード状のメディアへの記録も前記所定時間単位で行うことを特徴とする。
【０００８】
本発明の請求項４に係るドライブレコーダ装置は、請求項３に記載のドライブレコーダにおける車両状態データ情報記録方法を用いたことを特徴とする。
【０００９】
請求項５に係るドライブレコーダ装置は、請求項４のドライブレコーダ装置において、データの記録制御、イベントの発生検出、イベントの終了検出等を制御する制御装置を含み、前記バッッファーがＦＩＦＯ（ＦＩＲＳＴ  ＩＮ  ＦＩＲＳＴ  ＯＵＴ、あるいは先入れ先出し）で動作するものであり、
イベント発生がない場合、一定時間分の録画データを連続的に前記バッファーに取り込み、一定量以上のデータを保存せず、
当該時間中にイベントが発生した時は、イベント開始信号を前記制御装置へ送り、
該制御装置はイベント開始信号以後所定定時間経過後に前記保存されていたバッファーの全データを前記カード状のメディアへ書き込むように指示し、以後イベント終了までデータを所定時間単位で連続的に前記カード状のメディアに書き込ませ、イベント終了信号を検出した場合は、イベント終了信号を検出した時間を含む所定時間内の録画データをすべて前記カード状のメディアに取り込んだ後に取り込みを終了することを特徴とする。
【発明の効果】
【００１０】
本発明によれば、鍵の管理を徹底することで、ドライブレコーダのセキュリティ管理が可能となる。また、記録に関わる機器、システムをすべて箱体状の収納体内に入れることで、事故によるドライブレコーダ破損を防止でき、ドライブレコーダの録画情報を保護することができる。さらに、鍵付のスイッチを設けたことで、長期間使用しない場合の暗電流によるバッテリ消耗をなくすことができる。
【００１１】
また本発明によれば、イベント発生時およびイベント終了時の前後の映像を含む画像データを取り込むことができるので、イベントに絡む事件の記録を漏れなく記録することができる。
【発明を実施するための最良の形態】
【００１２】
以下本発明を実施するための最良の形態を、図に示す実施例を参照して説明する。
【実施例１】
【００１３】
図１に本発明に係るドライブレコーダ取り付け構造の一実施例を用いたドライブレコーダ装置を示すブロック図である。本実施例の目的は、ドライブレコーダの操作や、情報の記録に用いる例えばＳＤカードの管理を特定の人物だけが行うことができるようにするとともに、交通事故等のイベント発生に際しても容易に壊れないようにしたものである。
【００１４】
図中１はモニタ、２はカメラ、３はドライブレコーダ（ハードウェアとして言えばドライブレコーダ本体である。以下、必要に応じてドライブレコーダ本体３と言う。）、４はドライブレコーダの収納箱、５は車体のドライブレコーダ取り付け部、６は収納箱の扉、７は扉の鍵、８は鍵付きメインスイッチである。詳細な図示は省略するが、車体５に対して収納箱４はボルト等９、９で固定してある。また収納箱４内におけるドライブレコーダ３の固定は種々公知の手段を用いればよいが、もちろん取り付け、取り外しが可能な、いわゆる着脱可能なタイプの装着状態としておくものとする。またドライブレコーダ３と鍵付きメインスイッチ８には図示せぬバッテリから電源供給可能に配線しておく。
【００１５】
そして具体的には、ドライブレコーダ３を収納箱４を介して車体５に固定すると共に、鍵７を掛けて収納箱４の外側からは容易にはドライブレコーダ３に触れ得ないようにする。例えば、収納箱４を金属製の箱としてこれに固定し、この金属製の収納箱４を車体５の所定の箇所に固定し、収納箱４の扉６に鍵７、７を掛けておく。この状態では、交通事故等が発生して衝撃力が掛かっても、ドライブレコーダ３は容易には壊れないようにできる。
【００１６】
そして、ドライブレコーダ３のオン、オフは収納箱４の外側に設けた鍵付きのスイッチで行う。すなわち、このような構成では、鍵７の管理を徹底することで、ドライブレコーダ３のセキュリティ管理が可能となる。また、ドライブレコーダ装置としての記録系（図示の例ではドライブレコーダ本体３である）がすべて収納箱４に入っていることで、事故による破損を防止でき、録画情報を保護できる。さらに、鍵付メインスイッチ８を設けたことで、長期間使用しない場合は鍵付メインスイッチ８でドライブレコーダ本体３への電源供給を遮断しておけば、暗電流によるバッテリ消耗をなくすことができる。
【実施例２】
【００１７】
図２は、先の実施例のようなドライブレコーダ装置における録画データの記録にＳＤカードを用いたシステムの例を示すブロック図である。このシステムは、録画情報の記録を、イベント発生時およびイベント終了時の前後の映像を含む画像データをすべて記録できるようにするものである。
【００１８】
図中１０は制御装置、１１はＳＲＡＭ等を用いたバッファー、１２はＳＤカード、１３はイベントの発生、終了を検出するセンサ、１４はデータ転送先選択手段、１５は予備バッファー（同じくＳＲＡＭ等を用い得る）である。
【００１９】
この構成では、例えば録画データを所定時間（５分から１分）単位でバッファー１１へ取り込み、録画データのＳＤカード１２への記録についても同じ所定時間単位で行うものである。バッファー１１には、ＦＩＦＯ、すなわちＦｉｒｓｔ  Ｉｎ    Ｆｉｒｓｔ  Ｏｕｔあるいは、先入れ先出し、で動作するものを用いる。
【００２０】
そして、例えば、イベント発生がない場合、一定時間（ｔ０）分の録画データが連続的にバッファー１１に取り込まれる、バッッファー１１はＦＩＦＯで動作し、一定量以上のデータを保存しない。そしてこの時間中に交通事故等のイベントが発生したことをセンサ１３が検知し、検知信号が制御装置１０において認識された時（イベント開始信号が制御装置へ行く）は、制御装置１０はイベント開始信号以後一定時間（例えば一定時間ｔ０の半分の時間ｔ０／２）経過後に、保存されていたバッファー１１の全録画データをＳＤカード１２へ書き込むように指示する。この書き込みは、センサ１３がイベント終了を検知し、検知信号が制御装置１０において認識されるまで、すなわちイベント終了まで行われ、録画データは所定時間単位で連続的にＳＤカード１２へ書き込まれる。なお、イベント終了信号が検出された場合は、イベント終了信号を検出した時間を含む所定時間内の録画データをすべてＳＤカード１２に取り込んだ後に録画データの取り込みを終了する。
【００２１】
例えば、図３に示すように、（Ａ）：イベントなしの状態でＦＩＦＯ動作を行っている状態、（Ｂ）：ｔ＝０でイベントが発生した状態、（Ｃ）：イベント発生時点から一定時間（ｔ０）分の半分の時間ｔ０／２が経過してＳＤカード１２へのデータの書き込みが開始される時点とすると、（Ｄ）に示すように、数個の一定時間（ｔ０）分の録画データと、イベント終了信号が検出された時点から終了信号を検出した時間を含む所定時間内の録画データがすべてＳＤカード１２への取り込み範囲となることがわかる。
【００２２】
そのため、イベント発生時およびイベント終了時の前後の映像を含む画像データを取り込め、それによって、イベントに絡む事件の記録を漏れなく記録できるのである。
【００２３】
なお、バッファー１１のデータをＳＤカード１２に書き込んでいる時間が長く、その最中に録画データが送られてきた場合には、制御装置１０が録画データの転送先を一時的に予備バッファーに変更し（データ転送先選択手段１４を用いて転送左記を変更する）、当該時間（数秒から20秒程度）に発生した録画データを退避させる。もちろん、予備バッファー１５は、バッファー１１の一部のメモリー領域を使ってもよい。退避させたデータは、ＳＤカード１２への書き込み終了とともにバッファー１１（又は指定されたメモリー領域）へ転送される。このようにすることで、ＳＤカード１２への書き込み時間中のデータ抜けを防止できる。
【００２４】
またなお、上述の実施例ではバッファーとしてＦＩＦＯで動作するＳＲＡＭ、データの記録メディアとしてＳＤカードを例示したが、本発明はこれに限定されず、種々公知の記録手段、メディアを採用でき、それらの動作もＦＩＦＯには限定されず、種々適宜の動作方式を選択して採用すればよい。
【図面の簡単な説明】
【００２５】
【図１】本発明に係るドライブレコーダ取り付け構造の一実施例を用いたドライブレコーダ装置を示すブロック図
【図２】実施例１のようなドライブレコーダ装置における録画データの記録にＳＤカードを用いたシステムの例を示すブロック図
【図３】図２の記録方法を説明するための概念図
【符号の説明】
【００２６】
１はモニタ
２はカメラ
３はドライブレコーダ（ドライブレコーダ本体）
４はドライブレコーダの収納箱
５は車体のドライブレコーダ取り付け部
６は収納箱の扉
７は扉の鍵
８は鍵付きメインスイッチ
ボルト等９
１０は制御装置
１１はＳＲＡＭ等を用いたバッファー
１２はＳＤカード
１３はイベントの発生、終了を検出するセンサ
【図１】
2009265787.tif 000003
【図２】
2009265787.tif 000004
【図３】
2009265787.tif 000005